【手続補正書】
【提出日】平成21年8月13日(2009.8.13)
【手続補正１】
【補正対象書類名】特許請求の範囲
【補正対象項目名】全文
【補正方法】変更
【補正の内容】
【特許請求の範囲】
【請求項１】
行列形態に配列されており、画素電極と当該画素電極に連結されているスイッチング素子を各々含む複数の画素と、
前記スイッチング素子に連結されており、行方向に延長されていて一の画素電極行に対応する第１及び第２ゲート線と、
前記スイッチング素子に連結されており、列方向に延長されていて３個の画素列に対応する第１及び第２データ線と、を有し、
前記３個の画素列を第１乃至第３画素列とする場合、画素電極のうちの第１及び第２画素列の画素電極は前記スイッチング素子を通じて前記第１データ線と連結されており、第３画素列の画素電極は前記スイッチング素子を通じて前記第２データ線と連結されており、
前記第１及び第３画素列の画素電極は前記スイッチング素子を通じて前記第２ゲート線と連結されており、前記第２画素列の画素電極は前記スイッチング素子を通じて前記第１ゲート線と連結されていることを特徴とする薄膜トランジスタ表示板。
【請求項２】
前記第１及び第２ゲート線にゲートオン電圧又はゲートオフ電圧を供給するゲート駆動回路をさらに有し、
前記ゲート駆動回路は前記第１ゲート線にゲートオン電圧を印加した状態で、前記第２ゲート線にもゲートオン電圧を印加することを特徴とする請求項１に記載の薄膜トランジスタ表示板。
【請求項３】
前記第１及び第２データ線に画像信号を供給するデータ駆動回路をさらに有し、
前記データ駆動回路は２点反転駆動信号を供給することを特徴とする請求項２に記載の薄膜トランジスタ表示板。
【請求項４】
前記第１乃至第３画素列と対応する冗長データ線をさらに有することを特徴とする請求項１に記載の薄膜トランジスタ表示板。
【請求項５】
前記冗長データ線は、前記第１データ線と連結されていることを特徴とする請求項４に記載の薄膜トランジスタ表示板。
【請求項６】
前記冗長データ線には所定の電圧が印加されることを特徴とする請求項４に記載の薄膜トランジスタ表示板。
【請求項７】
行列形態に配列されており、画素電極と当該画素電極に連結されているスイッチング素子を各々含む複数の画素と、
前記スイッチング素子に連結されており、行方向に延長されていて一の画素電極行に対応する第１及び第２ゲート線と、
前記スイッチング素子に連結されており、列方向に延長されていて３個の画素列に対応する第１乃至第３データ線と、を有し、
前記３個の画素列を第１乃至第３画素列とする場合、画素電極のうちの第１画素列の画素電極は前記スイッチング素子を通じて前記第３データ線と連結されており、第２画素列の画素電極は前記スイッチング素子を通じて前記第１データ線と連結されており、第３画素列の画素電極は前記スイッチング素子を通じて前記第２データ線と連結されており、前記第１データ線と前記第３データ線とは互いに電気的に連結されており、
前記第１及び第３画素列の画素電極は前記スイッチング素子を通じて前記第１ゲート線と連結されており、前記第２画素列の画素電極は前記スイッチング素子を通じて前記第２ゲート線と連結されていることを特徴とする薄膜トランジスタ表示板。
【請求項８】
前記第１データ線と前記第３データ線とを連結する連結部と、
前記第１及び第３データ線をデータ駆動回路と連結するための引入部と、
前記引入部と前記連結部との間を連結する連結部材と、をさらに有し、
複数の前記第２データ線の少なくとも一部は、前記引入部と前記連結部との間を通過して前記データ駆動回路と連結されることを特徴とする請求項７に記載の薄膜トランジスタ表示板。
【請求項９】
連続して配置されている前記第１乃至第３画素列を一つの画素列グループとする場合、偶数画素列グループの前記第２データ線が前記引入部と前記連結部との間を通過して前記データ駆動回路と連結され、奇数画素列グループの前記第２データ線は前記引入部と前記連結部との間を通過しないことを特徴とする請求項８に記載の薄膜トランジスタ表示板。
【請求項１０】
前記画素電極は互いに傾斜方向の異なる２つの平行四辺形電極片を有し、前記２つの電極片の斜辺が繋がれかつ折曲されて一対の屈曲辺をなすことを特徴とする請求項７に記載の薄膜トランジスタ表示板。
【手続補正２】
【補正対象書類名】明細書
【補正対象項目名】０００９
【補正方法】変更
【補正の内容】
【０００９】
具体的には、行列形態に配列されており、画素電極と当該画素電極に連結されているスイッチング素子を各々有する複数の画素と、前記スイッチング素子に連結されており、行方向に延長されていて一の画素電極行に対応する第１及び第２ゲート線と、前記スイッチング素子に連結されており、列方向に延長されていて３個の画素列に対応する第１及び第２データ線と、を有し、前記３個の画素列を第１乃至第３画素列とする場合、画素電極のうちの第１及び第２画素列の画素電極は、前記スイッチング素子を通じて前記第１データ線と連結されており、第３画素列の画素電極は、前記スイッチング素子を通じて前記第２データ線と連結されており、前記第１及び第３画素列の画素電極は前記スイッチング素子を通じて前記第２ゲート線と連結されており、前記第２画素列の画素電極は前記スイッチング素子を通じて前記第１ゲート線と連結されている薄膜トランジスタ表示板を備える。
【手続補正３】
【補正対象書類名】明細書
【補正対象項目名】００１０
【補正方法】削除
【補正の内容】
【手続補正４】
【補正対象書類名】明細書
【補正対象項目名】００１４
【補正方法】変更
【補正の内容】
【００１４】
又は、行列形態に配列されており、画素電極と当該画素電極に連結されているスイッチング素子を各々含む複数の画素と、前記スイッチング素子に連結されており、行方向に延長されていて一の画素電極行に対応する第１及び第２ゲート線と、前記スイッチング素子に連結されており、列方向に延長されていて３個の画素列に対応する第１乃至第３データ線と、を有し、前記３個の画素列を第１乃至第３画素列とする場合、画素電極のうちの第１画素列の画素電極は、前記スイッチング素子を通じて前記第３データ線と連結されており、第２画素列の画素電極は、前記スイッチング素子を通じて前記第１データ線と連結されており、第３画素列の画素電極は、前記スイッチング素子を通じて前記第２データ線と連結されており、前記第１データ線と前記第３データ線とは互いに電気的に連結されており、前記第１及び第３画素列の画素電極は前記スイッチング素子を通じて前記第１ゲート線と連結されており、前記第２画素列の画素電極は前記スイッチング素子を通じて前記第２ゲート線と連結されている薄膜トランジスタ表示板を備える。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】